(57)【特許請求の範囲】
【請求項１】
情報処理装置であって、
第１の無線通信で印刷装置と通信する際に使用される接続情報を、前記第１の無線通信とは異なる第２の無線通信で受信する受信手段と、
前記受信手段で受信した前記接続情報を再利用できるように前記情報処理装置に保存する保存手段と、
前記接続情報を用いて前記印刷装置との前記第１の無線通信を確立する確立手段と、
前記印刷装置に前記確立手段が確立した前記第１の無線通信で印刷データを送信する送信手段と、
前記印刷データが送信されたことに従って、前記情報処理装置に前記接続情報が再利用できるように保存されていない状態にするように制御する制御手段と、を備えることを特徴とする情報処理装置。
【請求項２】
前記印刷データの送信が開始された後に、前記印刷データの送信を完了できないエラーが発生したことに従って、前記制御手段は前記接続情報が再利用できるように保存されていない状態にするように制御することを特徴とする請求項１に記載の情報処理装置。
【請求項３】
前記受信手段が受信した接続情報が既に再利用できるように保存されている場合、前記制御手段は前記印刷データが送信されても、前記接続情報が再利用できるように保存されている状態にするように制御することを特徴とする請求項１または２に記載の情報処理装置。
【請求項４】
前記印刷データが送信されたことに従って、前記制御手段が、前記接続情報が再利用できるように保存されていない状態にするように制御するか否かを設定する設定手段をさらに有することを特徴とする請求項１乃至３の何れか１項に記載の情報処理装置。
【請求項５】
前記第２の無線通信は近距離無線通信であり、前記第１の無線通信はＷｉ−Ｆｉ（登録商標）を用いた無線通信であることを特徴とする請求項１乃至４の何れか１項に記載の情報処理装置。
【請求項６】
前記確立手段が前記印刷装置との前記第１の無線通信を確立している状態で、前記情報処理装置の所定の機能が優先して実行されたことに従って、前記制御手段は前記接続情報が再利用できるように保存されていない状態にするように制御することを特徴とする請求項１乃至５の何れか１項に記載の情報処理装置。
【請求項７】
情報処理装置の制御方法であって、
第１の無線通信で印刷装置と通信する際に使用される接続情報を、前記第１の無線通信とは異なる第２の無線通信で受信するする受信工程と、
前記受信工程で受信した前記接続情報を前記情報処理装置に再利用できるように保存する保存工程と、
前記接続情報を用いて前記印刷装置との前記第１の無線通信を確立する確立工程と、
前記印刷装置に前記確立工程で確立された前記第１の無線通信で印刷データを送信する送信工程と、
前記印刷データが送信されたことに従って、前記情報処理装置に前記接続情報が再利用できるように保存されていない状態にするように制御する制御工程と、を備えることを特徴とする情報処理装置の制御方法。
【請求項８】
情報処理装置に、
第１の無線通信で印刷装置と通信する際に使用される接続情報を、前記第１の無線通信とは異なる第２の無線通信で受信する受信工程と、
前記受信工程で受信した前記接続情報を前記情報処理装置に再利用できるように保存する保存工程と、
前記接続情報を用いて前記印刷装置との前記第１の無線通信を確立する確立工程と、
前記印刷装置に前記確立工程で確立された前記第１の無線通信で印刷データを送信する送信工程と、
前記印刷データが送信されたことに従って、前記接続情報が再利用できるように保存されていない状態にするように制御する制御工程と、を実行させるためのプログラム。
【請求項９】
前記印刷データの送信が開始された後に、前記印刷データの送信を完了できないエラーが発生したことに従って、前記制御工程は前記接続情報が再利用できるように保存されていない状態にするように制御することを特徴とする請求項８に記載のプログラム。
【請求項１０】
前記受信工程で受信した接続情報が既に再利用できるように登録されている場合、前記制御工程は前記印刷データが送信されても、前記接続情報が再利用できるように保存された状態のままにするように制御することを特徴とする請求項８または９に記載のプログラム。
【請求項１１】
前記印刷データが送信されたことに従って、前記制御工程で前記情報処理装置に前記接続情報が再利用できるように保存されていない状態にするように制御するか否かを設定する設定工程をさらに有することを特徴とする請求項８乃至１０の何れか１項に記載のプログラム。
【請求項１２】
前記第２の無線通信は近距離無線通信であり、前記第１の無線通信はＷｉ−Ｆｉ（登録商標）を用いた無線通信であることを特徴とする請求項８乃至１１の何れか１項に記載のプログラム。
【請求項１３】
前記確立工程で前記印刷装置と前記第１の無線通信を確立している時に、前記情報処理装置の所定の機能が優先して実行されたことに従って、前記制御工程は前記接続情報が再利用できるように保存されていない状態にするように制御することを特徴とする請求項８乃至１２の何れか１項に記載のプログラム。
【発明の詳細な説明】
【技術分野】
【０００１】
本発明は、情報処理装置、画像処理装置、制御方法およびコンピュータプログラムに関する。
【背景技術】
【０００２】
ＮＦＣ（Ｎｅａｒ  Ｆｉｅｌｄ  Ｃｏｍｍｕｎｉｃａｔｉｏｎ）などの近距離無線通信を介してプリンタなどの画像処理装置に印刷を実行させる情報処理装置が提供されている。特許文献１は、モバイルデバイスから印刷を指示することにより画像処理装置に印刷を実行させることができるように、ＮＦＣを利用して印刷パッドから画像処理装置にファイルを送信することで印刷を実現する印刷パッドを開示している。
【先行技術文献】
【特許文献】
【０００３】
【特許文献１】特開２０１３−０３７６８７号公報
【発明の概要】
【発明が解決しようとする課題】
【０００４】
しかしながら、特許文献１が開示するＮＦＣなどは通信速度が低速であり、印刷データの送信に時間がかかる。
【０００５】
そこで、本明細書ではハンドオーバーを用いて通信を行う方法について検討する。ハンドオーバーとは、機器間のペアリングはＮＦＣで行い、その後の実際の通信にはより通信速度が高速な無線規格の無線通信であるＢｌｕｅｔｏｏｔｈ（登録商標）やＷｉ−Ｆｉ（登録商標）などに切り替える処理である。これにより、写真や動画など、比較的大きなデータを転送する場合、より高速で通信距離の長い通信規格を使用することが可能となる。データ転送時間の短縮化が促進されるとともに、機器間のタッチ操作に係る時間も短縮される。
【０００６】
ただし、通信距離が長いワイヤレス通信規格では、その長い通信距離のために盗聴などの危険性が増す。そのため、これら規格の通信手続きには煩雑な手順が必要である。例えばＷｉ−Ｆｉの通信手続きにはアクセスキー（アクセスポイントの接続に必要なＳＳＩＤとパスワード）をユーザが携帯端末などの情報処理装置に設定しておかなければならない。
【０００７】
ＮＦＣに対応した機器同士であればそのような煩雑な手順は必要なく、ユーザが情報処理装置を画像処理装置などに近づけるだけでアクセスキーを安全かつ簡単に取得することができる。情報処理装置はアクセスキーを用いてＷｉ−Ｆｉで画像処理装置との通信が可能になる。
【０００８】
しかし、情報処理装置はＮＦＣを用いて取得したアクセスキーを接続情報として自装置にキャッシュするため、Ｗｉ−Ｆｉ（登録商標）やＢｌｕｅｔｏｏｔｈ（登録商標）の接続圏内であれば、その後はＮＦＣ無しに自由にＷｉ−Ｆｉルータや画像処理装置への接続が可能となってしまう。例えば、印刷だけを許可したい場合であっても、Ｗｉ−Ｆｉを介して画像処理装置の別機能の操作が行われてしまう。また、Ｗｉ−Ｆｉ圏内であれば自由にネットワークを使用することができてしまう。
【０００９】
本発明は、複数の通信無線通信を利用して画像処理装置にデータを送信した後に、該画像処理装置と接続するための接続情報を削除することにより、高速データ通信の実現とセキュリティの確保を可能とする情報処理装置を提供することを目的とする。
【課題を解決するための手段】
【００１０】
本発明の一実施形態に係る情報処理装置は、情報処理装置であって、第１の無線通信で印刷装置と通信する際に使用される接続情報を、第１の無線通信とは異なる第２の無線通信で受信する受信手段と、前記受信手段で受信した前記接続情報を前記情報処理装置に再利用できるように保存する登録手段と、前記接続情報を用いて前記印刷装置との前記第１の無線通信を確立する確立手段と、前記印刷装置に前記確立手段が確立した前記第１の無線通信で印刷データを送信する送信手段と、前記印刷データが送信されたことに従って、前記接続情報が再利用できるように保存されていない状態にするように制御する制御手段と、を備える。
【発明の効果】
【００１１】
本発明の情報処理装置によれば、複数の通信無線通信を利用して画像処理装置にデータを送信した後に、該画像処理装置と接続するための接続情報を削除することにより、高速データ通信の実現とセキュリティの確保が可能となる。
【図面の簡単な説明】
【００１２】
【図１】本発明の一実施形態のシステムの全体構成例を示す図である。
【図２】携帯端末のハードウェア構成例を示す図である。
【図３】画像処理装置の構成例を示す図である。
【図４】携帯端末が備える印刷システムのソフトウェア構成例を示す図である。
【図５】ＮＤＥＦの一例を示す図である。
【図６】携帯端末が実行する印刷処理のフローチャートを説明する図である。
【図７】再印刷メッセージの画面表示例を示す図である。
【発明を実施するための形態】
【００１３】
以下、本発明を実施するための実施形態について図面を用いて説明する。図１は、本発明の一実施形態のシステムの全体構成例を示す図である。システムは、本発明の情報処理装置として機能する携帯端末４と画像処理装置１乃至３とを備える。画像処理装置１乃至３はネットワークに接続されている。携帯端末４は、ＮＦＣやＷｉ−Ｆｉなどの無線通信を利用し、画像処理装置１乃至３と直接またはアクセスポイントを介して通信可能である。本実施形態では、ＮＦＣを搭載した携帯端末４と画像処理装置２が通信することにより印刷が実現される。
【００１４】
図２は、図４を用いて後述する印刷システム１００が動作する携帯端末４のハードウェア構成例を示す図である。携帯端末４は、ＳｏＣ２０１乃至Ｓｅｎｓｏｒ２１２を備える。フラッシュメモリ（Ｆｌａｓｈ）２０３には、印刷システム１００のプログラムが格納される。本発明の各種機能を実行する主体は、ハードとしてはＳｏＣ（Ｓｙｓｔｅｍ  ｏｎ  ａ  ｃｈｉｐ）２０１であり、ソフトウェアとしてはフラッシュメモリ（Ｆｌａｓｈ）２０３に格納された印刷システム１００である。
【００１５】
ＮＦＣ２０６は近距離通信を行い、画像処理装置１乃至３のＮＦＣと通信を行う。Ｗｉ−Ｆｉ２０５は無線通信を行い、画像処理装置１乃至３と無線通信を行う。ＲＡＭ（Ｒａｎｄｏｍ  Ａｃｃｅｓｓ  Ｍｅｍｏｒｙ）２０２は、ＳｏＣ２０１の一時作業メモリとして機能する。ＮＦＣ２０６とＢｌｕｅｔｏｏｔｈ（登録商標）２０４は、画像処理装置２と近接通信が可能である。ＮＦＣ２０６を用いる場合、ＮＦＣ２０６は画像処理装置１乃至３が備えるＮＦＣと近接通信を行う。Ｗｉ−Ｆｉ２０５は、無線通信により画像処理装置２と無線通信を行う。Ｗｉ−Ｆｉ２０５は、無線通信規格であって、ＮＦＣ２０６よりも規格上の最大通信速度が速い。
【００１６】
Ｐｏｗｅｒ２０７は、携帯端末４の電源である。Ｖｏｉｃｅ／Ａｕｄｉｏ２０８はマイク、スピーカなどの入出力部である。Ｔｏｕｃｈ  Ｐａｎｅｌ２０９はユーザが指で操作を行うタッチパネルであり、ＬＥＤ（Ｌｉｇｈｔ  ｅｍｉｔｔｉｎｇ  Ｄｉｏｄｅ）２１０は、ＬＥＤを用いてディスプレイ表示を行う。Ｃａｍｅｒａ２１１は、写真、ビデオなどの撮影を行う。Ｓｅｎｓｏｒ２１２は、ＧＰＳ（Ｇｌｏｂａｌ  Ｐｏｓｉｔｉｏｎｉｎｇ  Ｓｙｓｔｅｍ）・加速度・地磁気・近接などのセンサー部であるＷｉ−Ｆｉアクセスポイント１３は、Ｗｉ−Ｆｉアクセスポイントである。本実施形態に記載されている処理は、ＳｏＣ２０１がＦｌａｓｈ２０３に記録されているプログラムをＲＡＭ２０２に読み込み、実行することによって実現される。また、本実施形態においては、ＯＳは例えば、Ｇｏｏｇｌｅ社（登録商標）のＡｎｄｒｏｉｄ（登録商標）を想定しているが、これに限るものではない。
【００１７】
図３は、画像処理装置の外観の一例を示す図である。画像処理装置１乃至３は印刷、ＦＡＸ、スキャンを行う複合機であり、印刷だけを行う装置でもよい。以下では画像処理装置２を例に説明する。画像処理装置２は、スキャナ部３０とプリンタ部３１を備える。画像入力装置であるスキャナ部３０は、原稿上に描かれた画像を照明し、ＣＣＤラインセンサ(図示せず)を走査することで、画像を読み取りラスターイメージデータとして電気信号に変換する。使用者が原稿用紙を原稿フィーダ３０２のトレイ３０３にセットし、操作部３０４から読み取りを指示する。そして、コントローラＣＰＵから指示を受けてスキャナ部３０は起動し、原稿画像の読み取り動作を行う。原稿用紙はフィーダ３０２により１枚ずつフィードされる。
【００１８】
画像出力装置であるプリンタ部３１は、電気的なラスターイメージデータを用紙上の可視画像に変換する。変換方式は感光体ドラムや感光体ベルトを用いた電子写真方式、微少ノズルアレイからインクを吐出して用紙上に直接画像を印字するインクジェット方式等があるが、どの方式が用いられてもよい。コントローラＣＰＵから指示を受け、プリンタ部３１は起動する。
【００１９】
プリンタ部３１には、異なる用紙サイズまたは異なる用紙向きが選択できるように複数の給紙段が備えられる。用紙カセット３０６、３０７、３０８、３０９は給紙段の一例を示す。また、排紙トレイ３１０は印字し終わった用紙を受ける。近距離探索部３１１は、ユーザが携帯端末４を近距離探索部３１１にかざすことにより、携帯端末４と画像処理装置２との近距離通信を開始させる。
【００２０】
本実施形態では、近距離探索部としてＮＦＣを想定しているが、これに限るものではない。例えば、ＦｅｌｉＣａ（登録商標）、ＭＩＦＡＲＥ（登録商標）、ＲＦＩＤ（Ｒａｄｉｏ  Ｆｒｅｑｕｅｎｃｙ  ＩＤｅｎｔｉｆｉｃａｔｉｏｎ）、Ｔｒａｎｃｅｆｅｒ  Ｊｅｔ（登録商標）などが用いられてよい。通信部３１２は、Ｗｉ−Ｆｉ、Ｅｔｈｅｒｎｅｔ（登録商標）などのネットワーク通信を行う。
【００２１】
図４は、印刷システム１００のソフトウェア構成例を示すブロック図である。印刷システム１００は、探索部１０１、情報取得部１０２、近距離通信部１０３、レンダリング部１０４、通信部１０５、ジョブ制御部１０６、ＵＩ（Ｕｓｅｒ  Ｉｎｔｅｒｆａｃｅ）部１０７、データ保持部１０８、印刷部１０９を備える。アプリケーション１１３および１１４は、印刷システム１００を使用する文書作成アプリなどのアプリケーションである。
【００２２】
探索部１０１は、マルチキャストを使用して画像処理装置を探索する。プロトコルは、ＳＬＰまたはＭｕｌｔｉｃａｓｔ―ＤＮＳを使用するが、これに限るものではない。また、マルチキャストの代わりにブロードキャストが使用される場合もある。情報取得部１０２は、画像処理装置からモデル名、設置場所などの情報を取得する。近距離通信部１０３は、近距離通信(例えばＮＦＣ)を使用して画像処理装置を認識する。本実施形態では、近距離探索部としてＮＦＣを想定しているが、これに限るものではない。
【００２３】
レンダリング部１０４は、アプリケーション１１３，１１４において生成または表示されるドキュメントを画像処理装置２が印刷可能なＰＤＬ（Ｐａｇｅ  Ｄｅｓｃｒｉｐｔｉｏｎ  Ｌａｎｇｕａｇｅ）またはイメージにレンダリングする。通信部１０５は、Ｗｉ−Ｆｉを使用して画像処理装置２やアクセスポイント２１３とネットワーク通信を行う。通信の際に必要となる接続情報は、初回接続時に携帯端末４のＦｌａｓｈ２０３にキャッシュされ、次回接続時に利用される。
【００２４】
ジョブ制御部１０６は、印刷ジョブをキューイングするなどジョブ制御を行う。ＵＩ部１０７は、ユーザインタフェースである。データ保持部１０８は、携帯端末内のストレージやＳＤカードにアクセスし、ドキュメント・画像などのファイルを保持したり、ＮＦＣにより取得した接続情報をキャッシュする。印刷部１０９は、レンダリング部１０４及び通信部１０５を使用して画像処理装置２にドキュメントまたはＰＤＬを送信する。また、印刷部１０９は、印刷が正常に完了したか、送信エラーが発生したかなど、印刷処理を監視する。
【００２５】
図５（Ａ）、図５（Ｂ）は近距離無線通信を使用して携帯端末４が画像処理装置２から取得するＮＤＥＦ（ＮＦＣ  Ｄａｔａ  Ｅｘｃｈａｎｇｅ  Ｆｏｒｍａｔ）の一例を示す図である。ＮＤＥＦとは、ＮＦＣでデータのやり取りをする際に使われるデータ・フォーマットのことであり、公式の技術資料はｈｔｔｐ：／／ｗｗｗ．ｎｆｃ−ｆｏｒｕｍ．ｏｒｇ／で定義されている。ＮＤＥＦには０個以上のＮＤＥＦ  Ｍｅｓｓａｇｅｓが含まれる（通常ＮＤＥＦに含まれるＮＤＥＦ  Ｍｅｓｓａｇｅは１個、ＮＤＥＦ  Ｍｅｓｓａｇｅには複数のＮＤＥＦ  Ｒｅｃｏｒｄｓが含まれる）。
【００２６】
例えば、ＰＡＹＬＯＡＤ５０１の記述の場合、Ｗｉ−Ｆｉ接続アクセスポイントのマックアドレスが“ｆｆ：ｆｆ：ｆｆ：ｆｆ：ｆｆ：ｆｆ”であることを示している。またＰＡＹＬＯＡＤ５０２の記述の場合、そのＷｉ−Ｆｉ接続アクセスポイントのパスワードが“ＡＢＣＤＥＦＧ”であることを示している。ＰＡＹＬＯＡＤ５０３の記述の場合、“１１１．１１１．１１１．１１１”のアドレスを持つ画像処理装置に対して、ドキュメントのデータもしくはＰＤＬを送信することを示している。また、ＰＡＹＬＯＡＤ５０３には接続情報をキャッシュするか否かを示す設定が記述可能であり、この設定が記述された例を図５（Ｂ）のＰＡＹＬＯＡＤ５０４に示す。ＰＡＹＬＯＡＤ５０４には「Ｒｅｃｏｒｄ．ｄａｔａ＝”１１１．１１１．１１１．１１１，ＯＦＦ“と記載されており、キャッシュ削除設定オフであることが示されている。
【００２７】
マックアドレス情報５０１とパスワード５０２を接続情報として使用することで、携帯端末４はＷｉ−Ｆｉ接続でアクセスポイント２１３に接続可能である。また、アクセスポイント２１３を経由し、アドレス５０３が示すアドレスを持つ画像処理装置との通信も可能となる。上述したように、携帯端末４はＮＤＥＦ  Ｒｅｃｏｒｄｓに記載されたデータに従い、機器間のペアリングをＮＦＣで行った後、ＮＦＣにより取得した接続情報を用いて無線通信をＷｉ−Ｆｉに切り替え通信する（Ｗｉ−Ｆｉハンドオーバー）。
【００２８】
次に、図６を用いて本実施形態の携帯端末４が行う処理について説明する。図６は携帯端末４がアプリケーション（ここではアプリケーション１１３を例に説明する）と印刷システム１００をＳｏＣ２０１に読み出して実行することにより実現される処理を示すフローチャートである。
【００２９】
Ｓ６０１にて、携帯端末４はアプリケーション１１３を起動する。アプリケーション１１３は印刷用アプリケーションであり、印刷対象のドキュメントまたは画像を画面上に表示することができる。印刷対象のドキュメントまたは画像が表示された状態で、Ｓ６０２にてユーザは携帯端末４を画像処理装置２の近距離探索部３１１にタップする。該タップをトリガとして、近距離通信部１０３は画像処理装置２のＮＦＣのＴａｇ情報を取得する（Ｓ６０３）。Ｔａｇ情報はＮＦＣフォーラムタイプ２仕様で指定されたメッセージ形式のＮＦＣデータ交換フォーマットでエンコードされたデータであり、図５で図示されたような形式である。ここでは図５（Ｂ）に示すデータが取得されたものとする。
【００３０】
次にＳ６０４とＳ６０５とＳ６０６にて、情報取得部１０２はＳ６０３にて取得したＴａｇ情報から、接続情報（マックアドレス情報５０１とパスワード５０２）と印刷先のアドレス（アドレス５０３）を取得する。また、情報取得部１０２は、ＰＡＹＬＯＡＤ５０４からキャッシュ削除設定を取得する。ＰＡＹＬＯＡＤ５０４には「Ｒｅｃｏｒｄ．ｄａｔａ＝”１１１．１１１．１１１．１１１，ＯＦＦ“と記載されており、キャッシュ削除設定はオフである。
【００３１】
Ｓ６０７にて、印刷部１０９はＳ６０４乃至Ｓ６０６で取得した情報から接続情報キャッシュの削除フラグを設定し、データ保持部に保持する。例えば、Ｓ６０６で情報取得部１０２がキャッシュ削除設定オフが記述された情報を取得した場合、印刷部１０９は削除フラグをＯＦＦに設定する。または、Ｓ６０４で取得した接続情報がすでに携帯端末４のＦｌａｓｈ２０３にキャッシュされていた場合、印刷部１０９は削除フラグをＯＦＦに設定する。削除フラグがＯＦＦ以外の場合、印刷部１０９は後述するフローにて接続情報のキャッシュを削除する。
【００３２】
Ｓ６０８にて、通信部１０５はアクセスポイントに接続する。通信部１０５がアクセスポイントに接続する場合、Ｓ６０４で取得した接続情報を用いて、通信部１０５がアクセスポイント２１３と接続を行う。すなわち、通信部１０５は、ＮＦＣ２０６の無線通信によって取得された接続情報を用いて、該無線通信よりも規格上の最大通信速度が速い無線通信（ここではＷｉ−Ｆｉ２０５）によってアクセスポイント２１３と接続を行う。その接続と同時または接続の確立後に接続情報は携帯端末４のＦｌａｓｈ２０３にキャッシュされる。
【００３３】
Ｓ６０９にて、通信部１０５はＳ６０５で取得した印刷先に印刷データを送信することで印刷を実行する。印刷実行時にはアプリケーション１１３は印刷システム１００の印刷部１０９に対して、印刷実行の指示を行う。印刷部１０９はその指示に従ってレンダリング部１０４及び通信部１０５を使用して画像処理装置２にドキュメントまたはＰＤＬを送信する。
【００３４】
Ｓ６１０にて、印刷部１０９は、Ｓ６０９の印刷実行中にネットワーク切断などの送信エラーが発生していないかどうかを判断する。送信エラーが発生していた場合は、処理はＳ６１２へ進む。送信エラーが発生していない場合は、処理はＳ６１１へ進む。Ｓ６１１にて、印刷部１０９は、電話など別の機能が優先され、アプリケーション１１３がサスペンド状態に入ったかどうかを判断する。サスペンド状態に入った場合は、処理はＳ６１４に進む。サスペンド状態でない場合は、処理はＳ６１２に進む。
【００３５】
Ｓ６１２にて、印刷部１０９は、Ｓ６０７で設定されたキャッシュ削除フラグがＯＦＦであるかどうかを判断する。キャッシュ削除フラグがＯＦＦであると判断した場合はそのままフローは終了する。キャッシュ削除フラグがＯＦＦでないと判断した場合は、処理はＳ６１３に進む。
【００３６】
Ｓ６１３にて、印刷部１０９は、Ｓ６０８でアクセスポイントに接続した際に作成されＦｌａｓｈ２０３に保持された接続情報のキャッシュを削除する。なお、Ｓ６１２における判断処理無しにＳ６１３による接続情報のキャッシュの削除を常に行う構成でもよい。
【００３７】
Ｓ６１１にて、アプリケーション１１３がサスペンド状態である場合、Ｓ６１４に進む。Ｓ６１４にて、印刷部１０９は、Ｓ６０７で設定されたキャッシュ削除フラグがＯＦＦであるかどうかを判断する。キャッシュ削除フラグがＯＦＦであると判断した場合は、処理はＳ６１６に進む。キャッシュ削除フラグがＯＦＦでないと判断した場合は、処理はＳ６１５に進む。Ｓ６１５にて、印刷部１０９は、Ｓ６０８でアクセスポイントに接続した際に作成された接続情報のキャッシュを削除する。
【００３８】
接続情報のキャッシュが削除されると、Ｓ６１６にてアプリケーション１１３はサスペンド状態に移行する。次に、Ｓ６１７にて印刷部１０９は、アプリケーション１１３がサスペンドから復帰したかどうかを判断する。アプリケーション１１３がサスペンドから復帰した場合、処理はＳ６１８に進む。Ｓ６１８にて、印刷部１０９は、ＵＩ部１０７を介しては携帯端末４の画面上に、図７に示す再印刷確認メッセージを表示する。Ｓ６１９にて再印刷指示がなされた場合（ＮＦＣがタップされた場合）は、処理はＳ６０２に進み、Ｓ６０２から始まるフローが再度行われ、接続情報が再取得されることとなる。図７に示すボタン７０１が押下された場合、印刷部１０９は印刷中止と判断し、そのままフローは終了する。
【００３９】
なお、Ｓ６１４の処理において、キャッシュ削除フラグがＯＦＦであり、Ｓ６１９にて再印刷が指示された場合、処理はＳ６０８に進み、キャッシュされている接続情報を再度用いてアクセスポイントに接続してもよい。また、Ｓ６０２の処理において、アクセスポイントに接続するための識別子が自装置に予め登録されているかの判断処理が行われてよい。そして、識別子が自装置に予め登録されていない場合にパスワードを入力するための入力画面が表示されてよい。パスワードの入力後に、ユーザが携帯端末４を画像処理装置２の近距離探索部３１１にタップすることでＮＦＣのＴａｇ情報が取得される。これによりセキュリティをさらに確保することが可能となる。
【００４０】
以上、本発明の情報処理装置によれば、複数の通信無線通信を利用して画像処理装置にデータを送信した後に、該画像処理装置と接続するための接続情報を削除することにより、高速データ通信の実現とセキュリティの確保が可能となる。説明したように、ＮＦＣを搭載した携帯端末を画像処理装置にタップすることで印刷処理が実行され後、キャッシュされた接続情報の削除が行われる。それにより、印刷終了後に、Ｗｉ−Ｆｉ（登録商標）接続やＢｌｕｅｔｏｏｔｈ（登録商標）接続して画像処理装置の操作ができてしまうことを抑制することが可能になる。また、Ｗｉ−Ｆｉ接続の場合はＷｉ−Ｆｉルータに自由に接続ができ、Ｗｉ−Ｆｉ接続圏内にいれば自由にそのネットワークを使用することができてしまうことを抑制することが可能になる。
【００４１】
本実施形態では印刷を例に本発明を説明したが、携帯端末を画像処理装置にタップすることでファックス・スキャン処理を実行した後においても、同様に自動的にキャッシュした接続情報が削除されてよい。それによりファックス・スキャン終了後にも同様の効果を得ることが可能となる。
【００４２】
（その他の実施形態）
また、本発明は、以下の処理を実行することによっても実現される。即ち、上述した実施形態の機能を実現するソフトウェア（コンピュータプログラム）を、ネットワーク又は各種記憶媒体を介してシステム或いは装置に供給する。そしてそのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【図１】
0006628830.tif 000002
【図２】
0006628830.tif 000003
【図３】
0006628830.tif 000004
【図４】
0006628830.tif 000005
【図５】
0006628830.tif 000006
【図６】
0006628830.tif 000007
【図７】
0006628830.tif 000008